(57)【特許請求の範囲】
【請求項１】
第１光軸に沿って被写体からの光束を取込むための第１群レンズが固定され第１光軸に沿って移動する第１光学ユニットと、前記第１群レンズを通過した光束を前記第１光軸と交差する第２光軸に沿って折り曲げるための光軸変換手段が装着された光軸変換ユニットと、第２群レンズが固定され前記光軸変換手段により前記第２光軸に沿って折り曲げられた光束を第２群レンズにより撮像素子に結像させる第２光学ユニットと、を有する撮影レンズ装置と、
ストロボ用のコンデンサと、
複数の回路基板と、
前記撮影レンズ装置と前記コンデンサと前記複数の回路基板を収納するカメラ筐体と、
を具備し、
前記カメラ筐体内において、前記撮影レンズ装置は、前記第１光軸が前記カメラ筐体の前面を向き前記第２光軸が前記カメラ筐体の底面に向かうような姿勢で配置されており、
前記コンデンサは縦長形状をしていて、前記カメラ筐体内において、前記コンデンサは長手方向が前記第２光軸と平行となるよう被写体から見て前記撮影レンズ装置の横に並んで配置されており、
前記カメラ筐体内に縦長形状の電源部を更に具備していて、前記カメラ筐体内において前記電源部は、前記撮影レンズ装置に対し前記コンデンサとは反対側で長手方向を前記第２光軸と平行となるように配置されており、
前記カメラ筐体内において、前記複数の回路基板のうちの１枚目及び２枚目の回路基板は、前記撮影レンズ装置及び前記コンデンサの前面側と後面側において前記撮影レンズ装置及び前記コンデンサを挟むように前記撮影レンズ装置の第２光軸に対し平行に配置され、当該前面側に配置される１枚目の回路基板は前記第１光学ユニットに対応して切欠を有し、当該後面側に配置される２枚目の回路基板は前記光軸変換ユニットが輪郭的に突出する部分に対応して切欠を有し、
前記複数の回路基板のうち３枚目の回路基板は、前記撮影レンズ装置及び前記コンデンサと前記カメラ筐体の底面との間で前記撮影レンズ装置の第２光軸に対し直交する平面に対し平行に配置され、
さらに、前記複数の回路基板のうち４枚目の回路基板は、前記電源部と前記撮影レンズ装置の間に、前記撮影レンズ装置の第２光軸に対し平行で、かつ前記２枚目の回路基板に直角になるような向きに配置され、
前記撮影レンズ装置及び前記コンデンサは、前記カメラ筐体内部で、前記前面側，前記後面側，前記底面側，そして前記電源部側を上記４枚の回路基板で囲まれるようにして配置される、
ことを特徴とする電子カメラ。
【請求項２】
前記カメラ筐体内にストロボを更に具備していて、前記カメラ筐体内において前記ストロボは前記コンデンサの上方に配設されている、
ことを特徴とする請求項１に記載の電子カメラ。
【発明の詳細な説明】
【０００１】
【発明の属する技術分野】
本発明は折り曲げ光学系を有する電子カメラに関し、特にストロボ内蔵型の電子カメラに関する。
【０００２】
【従来の技術】
ＣＣＤ素子等の光電変換撮像素子を用いた電子カメラでは、銀塩フィルムカメラのようにフィルムの制約がないので撮像光軸を途中で屈折させることが容易である。そこで、撮影レンズ光学系の途中にミラー等の光軸変換手段を設けた折り曲げ光学系を搭載することにより、厚み方向を薄くした電子カメラやＶＴＲが提案されている。例えば特開平９−１６３２０６号公報や特開平９−２８１５７８号公報に開示されるＶＴＲにおいては、ＶＴＲの小型化を図るため、折り曲げ光学系を構成する撮影レンズ装置がＶＴＲ機構部の前面に配置される。
【０００３】
【発明の解決しようとする課題】
電子カメラの小型化への要請はますます強いものとなっており、カメラ筐体内の限られたスペースをいかに有効に使うかということが課題となっている。特に、折り曲げ光学系を有する電子カメラの場合、主要機構である撮影レンズ装置の形状が、直線的な光学系を構成する撮影レンズ装置の形状と大きく異なるため、より適切な部品の配置が要求されることとなる。
【０００４】
本発明は、このような事情を考慮してなされたもので、折り曲げ光学系を有する電子カメラにおいて、カメラ筐体内の空間を有効利用し、カメラをより小型化することを目的とする。
【０００５】
【課題を解決するための手段】
本発明の第１の視点の電子カメラは：第１光軸に沿って被写体からの光束を取込むための第１群レンズが固定され第１光軸に沿って移動する第１光学ユニットと、前記第１群レンズを通過した光束を前記第１光軸と交差する第２光軸に沿って折り曲げるための光軸変換手段が装着された光軸変換ユニットと、第２群レンズが固定され前記光軸変換手段により前記第２光軸に沿って折り曲げられた光束を第２群レンズにより撮像素子に結像させる第２光学ユニットと、を有する撮影レンズ装置と；ストロボ用のコンデンサと；複数の回路基板と；前記撮影レンズ装置と前記コンデンサと前記複数の回路基板を収納するカメラ筐体と；を具備している。そして、前記カメラ筐体内において、前記撮影レンズ装置は、前記第１光軸が前記カメラ筐体の前面を向き前記第２光軸が前記カメラ筐体の底面に向かうような姿勢で配置されており；前記コンデンサは縦長形状をしていて、前記カメラ筐体内において、前記コンデンサは長手方向が前記第２光軸と平行となるよう被写体から見て前記撮影レンズ装置の横に並んで配置されており；前記カメラ筐体内に縦長形状の電源部を更に具備していて、前記カメラ筐体内において前記電源部は、前記撮影レンズ装置に対し前記コンデンサとは反対側で長手方向を前記第２光軸と平行となるように配置されており；前記カメラ筐体内において、前記複数の回路基板のうちの１枚目及び２枚目の回路基板は、前記撮影レンズ装置及び前記コンデンサの前面側と後面側において前記撮影レンズ装置及び前記コンデンサを挟むように前記撮影レンズ装置の第２光軸に対し平行に配置され、当該前面側に配置される１枚目の回路基板は前記第１光学ユニットに対応して切欠を有し、当該後面側に配置される２枚目の回路基板は前記光軸変換ユニットが輪郭的に突出する部分に対応して切欠を有し；前記複数の回路基板のうち３枚目の回路基板は、前記撮影レンズ装置及び前記コンデンサと前記カメラ筐体の底面との間で前記撮影レンズ装置の第２光軸に対し直交する平面に対し平行に配置され；さらに、前記複数の回路基板のうち４枚目の回路基板は、前記電源部と前記撮影レンズ装置の間に、前記撮影レンズ装置の第２光軸に対し平行で、かつ前記２枚目の回路基板に直角になるような向きに配置され；前記撮影レンズ装置及び前記コンデンサは、前記カメラ筐体内部で、前記前面側，前記後面側，前記底面側，そして前記電源部側を上記４枚の回路基板で囲まれるようにして配置されている、ことを特徴とする。
【０００７】
本発明の第２の視点の電子カメラは、前記カメラ筐体内にストロボを更に具備していて、前記カメラ筐体内において前記ストロボは前記コンデンサの上方に配設されている。
【００１３】
【発明の実施の形態】
以下に本発明の実施の形態について図面を参照して説明する。なお、以下の説明において、略同一の機能及び構成を有する構成要素については、同一符号を付し、重複説明は必要な場合にのみ行う。
【００１４】
図１及び図２は夫々本発明の実施の形態に係る電子カメラを示す正面図及び平面図である。
【００１５】
図１及び図２図示の如く、本電子カメラの筐体１１の正面側には撮影モード設定用の操作リング１４が撮影光学系の外周に配設され、上側にはレリーズボタン１６が配設される。また、筐体１１の背面側には液晶（ＬＣＤ）パネル１７が配設され、これは、筐体１１の背面上に撮影画像や再生画像を表示するために使用される。また、筐体１１の底部には、三脚取付け用の孔１１ｈが形成される。
【００１６】
操作リング１４の中心に被写体からの光束を取込むための光軸が整一するように、筐体１１内に撮影レンズ装置１２が配設される。図３は筐体１１と撮影レンズ装置１２の光学系との関係を示す側面図であり、図４は筐体１１と撮影レンズ装置１２の構造との関係を示す側面図である。
【００１７】
図３図示の如く、撮影レンズ装置１２は、レンズ２４ａ、２４ｂから水平な第１光軸ＯＡ１に沿って被写体からの光束を取込み、これをミラー３３等の光軸変換手段により垂直な第２光軸ＯＡ２に沿って９０°折り曲げた後、レンズ８４ａ〜８４ｄにより、ＣＣＤ９２等の光電変換撮像素子に対して結像する折り曲げ光学系を構成する。図４図示の如く、この撮影レンズ装置１２は、互いに別個のユニットとして作成された第１光学ユニット２０、光軸変換ユニット３０、光量調整ユニット５０及び第２光学ユニット８０を組立てることにより構成される。
【００１８】
第１光学ユニット２０はリング状の前鏡枠２２を有し、前鏡枠２２内に第１群レンズ２４ａ、２４ｂが固定される（図３参照）。第１群レンズ２４ａ、２４ｂは、第１光軸ＯＡ１（水平方向に配向）に沿って被写体からの光束を取込むように配置される。
【００１９】
前鏡枠２２の両側には夫々フランジ２６、２７が付設され（図２参照）、フランジ２６には上下に雌ネジ部及び軸受け孔が、また、フランジ２７には軸受け孔が配設される。これらのフランジ２６、２７は、光軸変換ユニット３０に配設された水平なスクリューシャフト３５及び２本のガイドシャフト３６、３７に取付けられ（図１参照）、これにより、第１光学ユニット２０が光軸変換ユニット３０に移動可能に保持される。
【００２０】
光軸変換ユニット３０は、撮影レンズ装置１２の第１及び第２光軸ＯＡ１、ＯＡ２に対して４５°をなす傾斜面を形成するミラー鏡枠３２を有し、ミラー鏡枠３２のこの４５°傾斜面に、反射手段即ち光軸変換手段であるミラー３３が装着される（図４参照）。第１群レンズ２４ａ、２４ｂを通過した光束は、ミラー３３により反射され、第２光軸ＯＡ２（垂直方向に配向）に沿って９０°折り曲げられる。
【００２１】
光軸変換ユニット３０にはまた、ＡＦ（オートフォーカス）用の回転モータ３４が配設される（図２及び図４参照）。ＡＦモータ３４のスクリューシャフト３５は第１光軸ＯＡ１に対して平行に延び、その先端の雄ネジ部が第１光学ユニット２０の前鏡枠２２のフランジ２６の上側に配設された雌ネジ部に螺合する。従って、シャフト３５の回転に伴って前鏡枠２２が前後に移動される。また、光軸変換ユニット３０には第１光軸ＯＡ１に対して平行な２本のガイドシャフト３６、３７が配設され、これ等は前鏡枠２２の対応のフランジ２６、２７に配設された軸受け孔に夫々挿通される。即ち、ＡＦモータ３４の駆動により、前鏡枠２２が第１群レンズ２４ａ、２４ｂと共にシャフト３６、３７に沿って第１光軸ＯＡ１に対して平行に移動され、これにより焦点調整が行われる。
【００２２】
光軸変換ユニット３０の下部には、光軸変換ユニット３０を第２光学ユニット８０上の所定の位置に固定するための係合手段（図示せず）が配設される。
【００２３】
光量調整ユニット５０は、ミラー３３により第２光軸ＯＡ２に沿って折り曲げられた光束を通過させるための開口５３が形成された平坦な枠５２を有する（図３及び図４参照）。開口５３を開閉すると共にその開口面積を調整するため、開口５３に臨んで枠５２にはシャッタ手段５４及び絞り手段６４が配設される。シャッタ手段５４を駆動するため、枠５２上側にプランジャ５６が配設される一方、絞り手段６４を駆動するため、枠５２の下側にステッピングモータ６６が配設される。
【００２４】
シャッタ手段５４は、軸６１を中心に回転可能に枠５２に軸支されたＬ型の回転レバー６２の回転に伴って開閉するように構成される（図２参照）。回転レバー６２の一方の腕はシャッタ手段５４に接続され、他方の腕はプランジャ５６の鉄芯５７に取付けられた一対のフランジ５８ａ、５８ｂ間に挟まれる。シャッタ手段５４のプランジャ５６は、鉄芯５７を高速に前後運動させるソレノイドコイルからなる。また、モータとフランジ５８ｂとの間で鉄芯５７にはコイルスプリング５９が装着される。従って、プランジャ５６の鉄芯５７の高速往復運動により回転レバー６２が回転され、これにより、シャッタ手段５４が開閉される。
【００２５】
光量調整ユニット５０の枠５２には、光量調整ユニット５０を第２光学ユニット８０上の所定の位置に固定するための係合手段（図示せず）が配設される。
【００２６】
第２光学ユニット８０は、カメラ筐体に１２に取付けられる円筒状の後鏡枠８２を有し、後鏡枠８２内に第２群レンズ８４ａ〜８４ｄが固定される（図３参照）。第２群レンズ８４ａ〜８４ｄは、ミラー３３により第２光軸ＯＡ２（垂直方向）に沿って反射され且つ光量調整ユニット５０の開口５３を通過した光束を、光電変換撮像素子、即ちＣＣＤ９２に対して結像するように配置される。
【００２７】
後鏡枠８２の頂部には、ミラー３３により第２光軸ＯＡ２に沿って折り曲げられた光束を通過させるための開口（図示せず）が形成された平坦な上部枠８３が配設される（図４参照）。上部枠８３の上面には、光軸変換ユニット３０及び光量調整ユニット５０を第２光学ユニット８０上の所定の位置に固定するための係合手段（図示せず）が配設される。
【００２８】
上述のような折り曲げ光学系を構成する撮影レンズ装置１２を囲んで、カメラ筐体１１内には、種々の機構や部品（回路基板を含む）が以下に述べるような態様で配設される。
【００２９】
即ち、図２図示の如く、筐体１１内の左前側には、記録媒体Ｉ／Ｆ（インターフェース）を構成するためのスロット１３が配設される。スロット１３内には、画像データを記録するためのメモリカード等の記録媒体ＭＣが着脱可能に装着される。また、筐体１１内でスロット１３の後側には、内部システムの電源となる２つの電池１８が配設される。２つの電池１８からなる電源部は、縦長形状、即ち水平方向の長さが垂直方向より十分に小さい形状を有し、その長手方向が撮影レンズ装置１２の第２光軸ＯＡ２と平行となるように配置される。
【００３０】
一方、撮影レンズ装置１２の第１及び第２光軸ＯＡ１、ＯＡ２を含む平面を間に挟んで、スロット１３と反対側の位置、即ち、筐体１１内の右上前側にはストロボ１５が配設される。ストロボ１５は、使用モードの設定に応じて筐体１１内の格納位置と、筐体１１の上方に突出する使用位置との間で移動可能となる。また、筐体１１内でストロボ１５の下方には、ストロボ１５用のコンデンサ１９が配設される。コンデンサ１９は、縦長形状、即ち水平方向の長さが垂直方向より十分に小さい形状を有し、その長手方向が撮影レンズ装置１２の第２光軸ＯＡ２と平行となるように配置される。
【００３１】
更に、カメラ筐体１１内には、撮影レンズ装置１２や上述の機構や部品を囲むように、３つの回路基板１０１〜１０３が、図１、図２及び図５図示の態様で配設される。
【００３２】
具体的には、筐体１１内の前面側には、メモリの制御、各種データ処理、信号処理等を行うための回路が搭載されたメイン基板１０１が配設される。メイン基板１０１は、撮影レンズ装置１２の第２光軸ＯＡ２及びコンデンサ１９の長手方向中心軸を含む平面に対して、ほぼ平行または鋭角をなす平面に沿って広がるように配置される。
【００３３】
メイン基板１０１は、筐体１１と概ね同じ幅を有し、また、スロット１３及び電池１８側では筐体１１と概ね同じ高さを有し、ストロボ１５及びコンデンサ１９側では筐体１１の半分程度の高さを有する。更に、メイン基板１０１は、撮影レンズ装置１２の第１光軸ＯＡ１が延在する部分、即ち第１光学ユニット２０に対応して切欠１０１ａを有する。
【００３４】
撮影レンズ装置１２の後側で撮影レンズ装置１２とＬＣＤパネル１７との間には、ストロボ１５、ＬＣＤパネル１７、及び電池１８を含む電源系統等の制御及び駆動を行うための回路が搭載されたパワー基板１０２が配設される。パワー基板１０２もまた、撮影レンズ装置１２の第２光軸ＯＡ２及びコンデンサ１９の長手方向中心軸を含む平面に対して、ほぼ平行または鋭角をなす平面に沿って広がるように配置される。
【００３５】
パワー基板１０２は、筐体１１のストロボ１５側の端部から電池１９の手前まで延在する幅を有し、また、ストロボ１５及びコンデンサ１９側では筐体１１の２／３程度の高さを有する。更に、パワー基板１０２は、撮影レンズ装置１２の光軸変換ユニット３０及び光量調整ユニット５０が輪郭的に突出する部分に対応して切欠１０２ａを有する。即ち、メイン基板１０１とパワー基板１０２とは、互いの間に撮影レンズ装置１２の第２光学ユニット８０やコンデンサ１９等を挟んだ状態で、概ね平行に対向する。
【００３６】
筐体１１内の底部には、ＣＣＤ９２の制御及び駆動を行うための回路が搭載されたカメラ基板１０３が配設される。カメラ基板１０３は、撮影レンズ装置１２の第２光軸ＯＡ２及びコンデンサ１９の長手方向中心軸に対して、ほぼ直交する平面に沿って広がるように配置される。カメラ基板１０３は、筐体１１のストロボ１５側の端部から電池１９の手前まで延在する幅を有し、また、メイン基板１０１とパワー基板１０２との間の距離に概ね相当する奥行きを有する。
【００３７】
このように、カメラ筐体１１内に配設する種々の機構や部品（回路基板を含む）を、折り曲げ光学系を構成する撮影レンズ装置１２の構造を考慮して配置することにより筐体１１内の全体の構成バランスをとることができる。従って、筐体１１内の空間を有効利用し、カメラをより小型化することが可能となる。
【００３８】
図６及び図７は夫々本発明の別の実施の形態に係る電子カメラを示す正面図及び平面図である。
【００３９】
本実施の形態に係る電子カメラは、図１乃至図５図示の電子カメラと概ね同じ構成を有するが、パワー基板が、ストロボ１５及び電池１８を含む電源系統等の制御及び駆動を行うための回路が搭載された第１パワー基板１０６と、ＬＣＤパネル１７の制御及び駆動を行うための回路のみが搭載された第２パワー基板１０７とに分割されている点で、図１乃至図５図示の電子カメラと異なる。
【００４０】
第１パワー基板１０６は、撮影レンズ装置１２とＬＣＤパネル１７との間で、撮影レンズ装置１２の第２光軸ＯＡ２及びコンデンサ１９の長手方向中心軸を含む平面に対して、ほぼ平行または鋭角をなす平面に沿って広がるように配置される。一方、第２パワー基板１０７は、撮影レンズ装置１２とスロット１３及び電池１８との間で、第１パワー基板１０６に対して９０度に近い角度をなすように配置される。このような構成においても、筐体１１内の全体の構成バランスの改善及び筐体１１内の空間の有効利用を図ることができる。
【００４１】
【発明の効果】
本発明によれば、折り曲げ光学系を有する電子カメラにおいて、折り曲げ光学系の構造を考慮してカメラ筐体内の部品を配置しているため、筐体内の空間を有効利用し、カメラをより小型化することが可能となる。
【図面の簡単な説明】
【図１】本発明の実施の形態に係る電子カメラを示す正面図。
【図２】図１図示の電子カメラを示す平面図。
【図３】図１図示の電子カメラにおける筐体と撮影レンズ装置の光学系との関係を示す側面図。
【図４】図１図示の電子カメラにおける筐体と撮影レンズ装置の構造との関係を示す側面図。
【図５】図１図示の電子カメラにおける筐体とストロボ用コンデンサ及び回路基板との関係を示す側面図。
【図６】本発明の別の実施の形態に係る電子カメラを示す正面図。
【図７】図６図示の電子カメラを示す平面図。
【符号の説明】
１１：カメラ筐体
１２：撮影レンズ装置
１３：メモリカード用スロット
１５：ストロボ
１７：液晶（ＬＣＤ）パネル
１８：電池
１９：ストロボ用コンデンサ
２０：第１光学ユニット
２４ａ、２４ｂ：第１群レンズ
３０：光軸変換ユニット
３３：ミラー
５０：光量調整ユニット
５４：シャッタ手段
６４：絞り手段
８０：第２光学ユニット
８４ａ〜８４ｄ：第２群レンズ
９２：ＣＣＤ
１０１〜１０３、１０６、１０７：回路基板
【図１】
0004488260.tif 000002
【図２】
0004488260.tif 000003
【図３】
0004488260.tif 000004
【図４】
0004488260.tif 000005
【図５】
0004488260.tif 000006
【図６】
0004488260.tif 000007
【図７】
0004488260.tif 000008